(57)【要約】【課題】電動アシスト装置を容易に設置することができ、電動アシスト装置を設置した場合と設置しない場合とにおける水洗トイレの外観の変化を抑えることができる排水弁駆動装置を提供することを目的とする。【解決手段】水洗便器へ供給する洗浄水を貯留するタンク装置に設置され、電動アシスト装置による駆動力および手動による駆動力を入力可能な排水弁駆動装置であって、操作レバーと、作動軸と、接続部材と、を備え、接続部材は、電動アシスト装置の回転を規制する回転規制部と、電動アシスト装置のスラスト方向の移動を規制するスラスト移動規制部と、を有し、作動軸は、電動アシスト装置による駆動力が入力される入力部を有し、入力部は、作動軸の径方向に突出した形状を有し、少なくとも一部が電動アシスト装置と当接することで作動軸を回転させることを特徴とする排水弁駆動装置が提供される。【選択図】図３
2013221244.tif 000002
【特許請求の範囲】
【請求項１】
水洗便器へ供給する洗浄水を貯留するタンク装置に設置され、電動アシスト装置による駆動力および手動による駆動力を入力可能な排水弁駆動装置であって、
前記タンク装置の外面に配置され、前記手動による駆動力が入力される操作レバーと、  前記タンク装置の内部に設けられ、前記操作レバーから入力される駆動力により排水弁を開放可能な作動軸と、
前記タンク装置の内部に設けられ、前記排水弁駆動装置と前記タンク装置とを接続する接続部材と、
を備え、
前記接続部材は、
前記電動アシスト装置の回転を規制する回転規制部と、
前記電動アシスト装置のスラスト方向の移動を規制するスラスト移動規制部と、
を有し、
前記作動軸は、前記電動アシスト装置による駆動力が入力される入力部を有し、
前記入力部は、前記作動軸の径方向に突出した形状を有し、少なくとも一部が前記電動アシスト装置と当接することで前記作動軸を回転させることを特徴とする排水弁駆動装置。
【請求項２】
前記タンク装置の外部に設けられ、前記作動軸の回転範囲を規制する角度規制機構をさらに備えたことを特徴とする請求項１記載の排水弁駆動装置。
【請求項３】
前記入力部の形状の左右の先端部と、前記作動軸の中心と、がなす角度は、１８０度以内であることを特徴とする請求項１または２に記載の排水弁駆動装置。
【請求項４】
前記操作レバーまたは前記入力部に回転力が付与されていない状態において、前記排水弁を閉止する位置に前記作動軸を規制し、ばねの付勢力によって複動する定位置規制機構をさらに備えたことを特徴とする請求項３記載の排水弁駆動装置。
【発明の詳細な説明】
【技術分野】
【０００１】
本発明の態様は、一般的に、水洗トイレ内に配置されたタンク装置内の洗浄水を水洗便器へ供給する排水弁駆動装置に関する。
【背景技術】
【０００２】
一般的に、水洗トイレには、水洗便器と、この水洗便器へ供給するための洗浄水を貯水するタンク装置と、が配置されている。タンク装置には、排水弁と排水弁駆動装置とが配置されている。排水弁駆動装置を駆動させると、排水弁が開いてタンク内の洗浄水が水洗便器へ供給され、水洗便器が洗浄される。
【０００３】
排水弁駆動装置には、電動で駆動する排水弁駆動装置（以下、「電動排水弁駆動装置」と称する）と、手動で駆動する排水弁駆動装置（以下、「手動排水弁駆動装置」と称する）と、がある。例えば特許文献１および２に記載された電動排水弁駆動装置は、いくつかの手動排水弁駆動装置と互換性がある。特許文献１および２に記載された電動排水弁駆動装置によれば、先に手動排水弁駆動装置が配置されている水洗トイレの手動排水弁駆動装置を電動排水弁駆動装置に交換することで、手動で行う必要があった水洗トイレの便器洗浄を電動で行うことができる。
【０００４】
一方で、特許文献３に記載される電動アシスト装置では、先に手動排水弁駆動装置が配置されている水洗トイレのタンク装置に、手動排水弁駆動装置を取り外さずに電動アシスト装置を設置することができる。そのため、手動で行う必要があった水洗トイレの便器洗浄を電動で行うことができるようにする。
【０００５】
しかしながら、特許文献１および２に記載の電動排水弁駆動装置は、手動排水弁駆動装置から電動排水弁駆動装置に交換する際に、手動排水弁駆動装置を洗浄水タンクから取り外し、その後、電動排水弁駆動装置を設置する必要がある。長期間、手動排水弁駆動装置が設置されていたタンク装置では、手動排水弁駆動装置とタンク装置とを連結しているナットが強く固着している場合がある。この場合には、ナットを緩める際に強い力が必要であり、工具によってタンク装置を傷つけてしまう可能性がある。また、電動排水弁駆動装置を洗浄水タンクに設置する際に、ナットの締め付けトルクが十分でなく、排水弁を正常に駆動できない場合がある。
【０００６】
また、特許文献１および２に記載の電動排水弁駆動装置は、電動排水弁駆動装置の構成部品であるモータ駆動ユニットが有するねじ部を、タンク装置の内部から外部にかけてタンク装置の壁面を貫通させ、タンク装置の外部でナットによってモータ駆動ユニットを連結する。その後、ねじ部の先端を基準とし、ねじ部に電動排水弁駆動装置の構成部品であるレバー部を設置する。そのため、タンク壁面の厚さによって、タンク壁面とレバー部との間に隙間が発生する。これにより、使用者は水洗トイレの外観に違和感を受けることがある。
【０００７】
さらに、特許文献１および２に記載の電動排水弁駆動装置をタンク装置に設置した場合には、先に配置されていた手動排水弁駆動装置を構成する部品を利用することができないため、エコの観点で改善の余地がある。
【０００８】
これに対し、特許文献３に記載の電動アシスト装置については、設置の際、手動排水弁駆動装置を洗浄水タンクから取り外すことなくタンク装置に電動アシスト装置を設置することが可能である。これにより、特許文献１および２に記載の課題を解決することができる。しかしながら、特許文献３に記載の電動アシスト装置は、タンク装置の外側に設置され、洗浄水タンクの外側に位置するレバー部を直接回転させる。そのため、使用者は水洗トイレの外観に違和感を受けることがある。
【先行技術文献】
【特許文献】
【０００９】
【特許文献１】特開２００５−０２３７１４号公報
【特許文献２】特開２００７−１２０２６０号公報
【特許文献３】特開２００１−３３６１９４号公報
【発明の概要】
【発明が解決しようとする課題】
【００１０】
本発明は、かかる課題の認識に基づいてなされたものであり、電動アシスト装置を容易に設置することができ、電動アシスト装置を設置した場合と設置しない場合とにおける水洗トイレの外観の変化を抑えることができる排水弁駆動装置を提供することを目的とする。
【課題を解決するための手段】
【００１１】
第１の発明は、水洗便器へ供給する洗浄水を貯留するタンク装置に設置され、電動アシスト装置による駆動力および手動による駆動力を入力可能な排水弁駆動装置であって、前記タンク装置の外面に配置され、前記手動による駆動力が入力される操作レバーと、前記タンク装置の内部に設けられ、前記操作レバーから入力される駆動力により排水弁を開放可能な作動軸と、前記タンク装置の内部に設けられ、前記排水弁駆動装置と前記タンク装置とを接続する接続部材と、を備え、前記接続部材は、前記電動アシスト装置の回転を規制する回転規制部と、前記電動アシスト装置のスラスト方向の移動を規制するスラスト移動規制部と、を有し、前記作動軸は、前記電動アシスト装置による駆動力が入力される入力部を有し、前記入力部は、前記作動軸の径方向に突出した形状を有し、少なくとも一部が前記電動アシスト装置と当接することで前記作動軸を回転させることを特徴とする排水弁駆動装置である。
【００１２】
この排水弁駆動装置によれば、排水弁駆動装置を電動で駆動することができる電動アシスト装置を容易に設置可能であり、電動アシスト装置を設置することによって電動で便器洗浄が可能な水洗トイレを提供することができる。また、電動アシスト装置をタンク装置の内部に設置可能であるため、電動アシスト装置を設置しても、使用者が外観に違和感を受けることを抑えることができる。
【００１３】
第２の発明は、第１の発明において、前記タンク装置の外部に設けられ、前記作動軸の回転範囲を規制する角度規制機構をさらに備えたことを特徴とする排水弁駆動装置である。
【００１４】
この排水弁駆動装置によれば、作動軸の回転角度範囲を確実に規制することができる。また、電動アシスト装置を設置した状態において、排水弁駆動装置を駆動させたときに電動アシスト装置が有するモータや減速手段などに過大な力が加わることを抑制することができる。
【００１５】
第３の発明は、第１または第２の発明において、前記入力部の形状の左右の先端部と、前記作動軸の中心と、がなす角度は、１８０度以内であることを特徴とする排水弁駆動装置である。
【００１６】
この排水弁駆動装置によれば、手動で操作レバーを操作し排水弁駆動装置を駆動させた場合に、電動アシスト装置に設けられ回転抵抗となる、モータや減速機構などを回転させず、排水弁駆動装置のみを駆動させることが可能である。そのため、使用者は手動操作の際に軽い力で排水弁駆動装置を操作することができる。
【００１７】
第４の発明は、第３の発明において、前記操作レバーまたは前記入力部に回転力が付与されていない状態において、前記排水弁を閉止する位置に前記作動軸を規制し、ばねの付勢力によって複動する定位置規制機構をさらに備えたことを特徴とする排水弁駆動装置である。
【００１８】
この排水弁駆動装置によれば、操作レバーまたは入力部に、回転方向の力が付与されていないときに、排水弁を閉止する位置に作動軸を確実に規制することができる。
【発明の効果】
【００１９】
本発明の態様によれば、電動アシスト装置を容易に設置することができ、電動アシスト装置を設置した場合と設置しない場合とにおける水洗トイレの外観の変化を抑えることができる排水弁駆動装置が提供される。
【図面の簡単な説明】
【００２０】
【図１】本実施形態にかかる排水弁駆動装置が設置された水栓トイレを表す模式的斜視図である。
【図２】本実施形態にかかる排水弁駆動装置の設置形態を表す模式的斜視図である。
【図３】本実施形態にかかる排水弁駆動装置をタンク装置の前方から眺めた模式的分解図である。
【図４】本実施形態にかかる排水弁駆動装置をタンク装置の後方から眺めた模式的分解図である。
【図５】電動アシスト装置によって電動で大洗浄を行う場合の入力部及び出力部の駆動状態を表す模式的平面図である。
【図６】使用者がレバー部を手動で操作して大洗浄を行う場合の入力部及び出力部の駆動状態を表す模式的平面図である。
【図７】電動アシスト装置によって電動で小洗浄を行う場合の入力部及び出力部の駆動状態を表す模式的平面図である。
【図８】使用者がレバー部を手動で操作して小洗浄を行う場合の入力部及び出力部の駆動状態を表す模式的平面図である。
【図９】本実施形態にかかる排水弁駆動装置を表す模式図である。
【図１０】本実施形態にかかる排水弁駆動装置を表す模式図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本実施形態にかかる排水弁駆動装置が設置された水栓トイレを表す模式的斜視図である。  
図２は、本実施形態にかかる排水弁駆動装置の設置形態を表す模式的斜視図である。
【００２２】
図１に表した水洗トイレ１０は、水洗便器１００と、タンク装置２００と、排水弁駆動装置３００と、を備える。  
図２に表したように、本実施形態にかかる排水弁駆動装置３００は、右ハンドル型のタンク装置２００に装着されている。排水弁駆動装置３００については、後に詳述する。
【００２３】
タンク装置２００は、外装タンク２１０と、外装タンク２１０内に収容された内装タンク２２０と、外装タンク２１０の上部に設けられた蓋部２３０と、内装タンク２２０に給水を行う給水機構２４０と、内装タンク２２０の排出口を開閉させる排水機構２５０と、排水弁駆動装置３００から入力された回転力を排水機構２５０に伝える駆動伝達機構２６０と、を有する。タンク装置２００は、水洗便器１００へ供給する洗浄水を貯留することができる。
【００２４】
外装タンク２１０は、上方が開口した陶器製の容器であって、左側面に形成された給水管孔（図示せず）と、他方の側面に設けられたハンドル挿通孔２１２と、底面中央に形成された排水管孔（図示せず）と、底部の排水管孔を挟んだ両側に形成されたボルト挿通孔（図示せず）と、を有する。
【００２５】
蓋部２３０は、上面に蛇口２３１および手洗い鉢２３２が形成された陶器製の部材であり、外装タンク２１０の上部の開口を覆うように載置されている。蛇口２３１には、後述する給水機構２４０から手洗い水が供給される。
【００２６】
内装タンク２２０は、底面に円形の排水口が形成された容器状のタンク本体２２１と、タンク本体２２１の底面の排水口の縁に沿って立設された筒状部（図示せず）と、を有する。筒状部の下方へ向かって延びる外周面には、螺条が形成されている。内装タンク２２０は、筒状部が外装タンク２１０の排水管孔を挿通した状態で、筒状部の外装タンク２１０の外側に突出した部分に、つば付きナットが締め付けられることで外装タンク２１０に固定されている。
【００２７】
給水機構２４０は、外装タンク２１０の給水管孔を通して外部から延びる給水配管（図示せず）と接続されている。この給水配管を通じて、洗浄水が供給される。給水機構２４０は、水位に応じて給水口の開閉を切り替える。例えば、排水機構２５０が開放され、水位が低下すると、給水機構２４０は、内装タンク２２０への給水を開始する。一方、排水機構２５０が閉鎖され、再び内装タンク２２０内に所定の深さまで洗浄水が貯水されると、給水機構２４０は、内装タンク２２０への給水を停止する。
【００２８】
排水機構２５０は、排水量を２段階に設定可能な機構であり、内装タンク２２０の開口を囲むように設けられた筒体２５２及び内装タンク２２０の開口を閉鎖可能な弁体２５１を有する。弁体２５１は、常時は、内装タンク２２０の開口を閉鎖しており、後述する第１の玉鎖２６３が引き上げられると、開口を開放する。また、筒体２５２の側面には開口が形成されている。この開口には、排水量調整弁２５５が取り付けられている。排水量調整弁２５５は、常時は、筒体２５２の開口を開放しており、後述する第２の玉鎖２６４が引き上げられることで筒体２５２の開口を閉鎖する。
【００２９】
このような構成により、第１の玉鎖２６３及び第２の玉鎖２６４が引き上げられた場合には、内装タンク２２０内の筒体２５２の上縁よりも上方の部分と、筒体２５２の内側の部分と、の洗浄水が水洗便器１００へと供給される（小洗浄）。また、第１の玉鎖２６３のみが引き上げられた場合には、内装タンク２２０内の筒体２５２の上縁よりも上方と、筒体２５２の内部と、筒体２５２の外部と、の洗浄水が、水洗便器１００へと供給される（大洗浄）。
【００３０】
駆動伝達機構２６０は、内装タンク２２０の上部中央に固定されたスピンドル機構２６１と、排水弁駆動装置３００に加えられた回転力をスピンドル機構２６１に伝達するユニバーサルジョイント２６２と、上端がスピンドル機構２６１に接続され、下端が排水機構２５０に接続された第１の玉鎖２６３及び第２の玉鎖２６４と、を有する。
【００３１】
図３は、本実施形態にかかる排水弁駆動装置をタンク装置の前方から眺めた模式的分解図である。  
図４は、本実施形態にかかる排水弁駆動装置をタンク装置の後方から眺めた模式的分解図である。
【００３２】
本願明細書においては、図示しない便座に座った使用者からみて上方を「上方」とし、便座に座った使用者からみて下方を「下方」とする。また、便座に座った使用者からみて前方を「前方」とし、便座に座った使用者からみて後方を「後方」とする。また、後方を向いて水洗便器１００の前に立った使用者からみて右側を「右側方」とし、後方を向いて水洗便器１００の前に立った使用者からみて左側を「左側方」とする。
【００３３】
本実施形態にかかる排水弁駆動装置３００は、便器洗浄操作時に使用者が手動で駆動させるレバー部３１０と、レバー部３１０の回転駆動に連動して回転する作動軸３３０と、作動軸３３０のラジアル方向への移動を抑制する固定軸３２０と、排水弁駆動装置３００とタンク装置２００を固定する取り付け部材（接続部材）３４０と、ナット３５１と、を有する。
【００３４】
作動軸３３０は、電動アシスト装置４００からの回転力が入力される半径方向へ突き出た突起形状の入力部３３１と、駆動伝達機構２６０のユニバーサルジョイント２６２と接続される作動軸接続部３３２と、を有する。
【００３５】
外装タンク２１０の壁面は、取り付け部材３４０とレバー部３１０とによって挟設される。また、固定軸３２０は、固定軸３２０が有するねじ部３２１とナット３５１を連結させることで、外装タンク２１０に固定される。作動軸３３０は、固定軸３２０を貫通しており、作動軸３３０のラジアル方向への移動を抑制されている。
【００３６】
レバー部３１０は、レバー固定部３１１と操作レバー３１２とを有する。レバー固定部３１１は、固定軸３２０と接合されており、操作レバー３１２は、作動軸３３０と接合されている。使用者が操作レバー３１２を回転させると、作動軸３３０が操作レバー３１２と連動して駆動する。また、作動軸３３０の入力部３３１に電動アシスト装置４００によって回転力が入力されると、作動軸３３０の回転と連動して操作レバー３１２が駆動する。
【００３７】
取り付け部材３４０は、ダブルＤカット雄形状部３４１（回転規制部）と角穴形状部３４２（スラスト移動規制部）とを有している。
【００３８】
本実施形態の電動アシスト装置４００は、モータ（図示せず）と、モータの回転数を減速する減速機構（図示せず）と、モータの回転力が減速機構を介して伝達され回転する出力伝達軸４３０と、を有する。また、電動アシスト装置４００は、ダブルＤカット雌形状部４４１を有する。排水弁駆動装置３００の取り付け部材３４０のダブルＤカット雄形状部３４１をダブルＤカット雌形状部４４１に挿入することで、作動軸３３０の接線方向への回転が規制される。電動アシスト装置４００は、電動アシスト装置角穴形状部４４２をさらに有する。電動アシスト装置角穴形状部４４２と排水弁駆動装置３００の取り付け部材３４０の角穴形状部３４２とを重ね合わせ、両者によって形成される穴部にワンタッチクリップ３６０の凸部３６１を挿入することで、スラスト方向への移動が規制される。
【００３９】
出力伝達軸４３０は、排水弁駆動装置３００の作動軸３３０がスラスト方向に貫通可能な穴部４３３を有する。穴部４３３には、半径方向への凸形状である出力部４３１が設けられている。電動アシスト装置４００の出力部４３１を排水弁駆動装置３００の入力部３３１に当接させることで、電動アシスト装置４００で発生する回転力を排水弁駆動装置３００に伝達することができる。
【００４０】
次に、便器洗浄のときにおける入力部３３１および出力部４３１の動作について、図面を参照しつつ説明する。  
図５（ａ）〜図５（ｃ）は、電動アシスト装置によって電動で大洗浄を行う場合の入力部及び出力部の駆動状態を表す模式的平面図である。  
なお、図５（ａ）〜図５（ｃ）は、図３に表した矢印Ａ１の方向にみたときの模式的平面図である。
【００４１】
図５（ａ）〜図５（ｃ）に表したように、中心に排水弁駆動装置３００の作動軸３３０が位置し、その外周に電動アシスト装置４００の出力伝達軸４３０が位置する。作動軸３３０及び出力伝達軸４３０は、時計周りまたは反時計回りに回転する。前述した通り、作動軸３３０には入力部３３１が設けられ、出力伝達軸４３０には出力部４３１が設けられている。
【００４２】
図５（ａ）に表したように、作動軸３３０は、力を受けていないときには、リターンスプリングより中立状態に付勢されている。「中立状態」とは、作動軸３３０が排水機構２５０を閉止する位置に規制された状態をいうものとする。これについては、後に詳述する。  
続いて、電動アシスト装置４００のモータを駆動させると、図５（ｂ）に表したように、出力伝達軸４３０は、減速機構を介して連動し時計周りに駆動する。このとき、出力部４３１は、一定区間、入力部３３１に当接せずに駆動する。その後、出力部４３１は、入力部３３１と当接し、図５（ｃ）に表したように作動軸３３０を時計周りに回転させる。これにより、電動アシスト装置４００によって電動で大洗浄が行われる。
【００４３】
図６（ａ）〜図６（ｃ）は、使用者がレバー部を手動で操作して大洗浄を行う場合の入力部及び出力部の駆動状態を表す模式的平面図である。  
なお、図６（ａ）〜図６（ｃ）は、図３に表した矢印Ａ１の方向にみたときの模式的平面図である。
【００４４】
まず、図６（ａ）に表したように、作動軸３３０は、中立状態にある。  
続いて、使用者がレバー部３１０を手動で時計周りに操作すると、図６（ｂ）に表したように、作動軸３３０は、中立状態から時計周りに回転する。このとき、入力部３３１は、出力部４３１と当接合せずに回転する。その後、図６（ｃ）に表したように、作動軸３３０の回転は、角度規制機構により停止する。これにより、使用者は、レバー部３１０を手動で操作して大洗浄を行うことができる。なお、角度規制機構については、後に詳述する。
【００４５】
図７（ａ）〜図７（ｃ）は、電動アシスト装置によって電動で小洗浄を行う場合の入力部及び出力部の駆動状態を表す模式的平面図である。  
なお、図７（ａ）〜図７（ｃ）は、図３に表した矢印Ａ１の方向にみたときの模式的平面図である。
【００４６】
まず、図７（ａ）に表したように、作動軸３３０は、中立状態にある。  
続いて、電動アシスト装置４００のモータを駆動させると、図７（ｂ）に表したように、出力伝達軸４３０は、減速機構を介して連動し反時計周りに駆動する。このとき、出力部４３１は、一定区間、入力部３３１に当接せずに駆動する。その後、出力部４３１は、入力部３３１と当接し、図７（ｃ）に表したように作動軸３３０を反時計周りに回転させる。これにより、電動アシスト装置４００によって電動で小洗浄が行われる。
【００４７】
図８（ａ）〜図８（ｃ）は、使用者がレバー部を手動で操作して小洗浄を行う場合の入力部及び出力部の駆動状態を表す模式的平面図である。  
なお、図８（ａ）〜図８（ｃ）は、図３に表した矢印Ａ１の方向にみたときの模式的平面図である。
【００４８】
まず、図８（ａ）に表したように、作動軸３３０は、中立状態にある。  
続いて、使用者がレバー部３１０を手動で反時計周りに操作すると、図８（ｂ）に表したように、作動軸３３０は、中立状態から反時計周りに回転する。このとき、入力部３３１は、出力部４３１と当接合せずに回転する。その後、図８（ｃ）に表したように、作動軸３３０の回転は、角度規制機構により停止する。これにより、使用者は、レバー部３１０を手動で操作して小洗浄を行うことができる。なお、角度規制機構については、後に詳述する。
【００４９】
本実施形態によれば、取り付け部材３４０とレバー部３１０とによって外装タンク２１０の壁面を挟設し、また、固定軸３２０が有するねじ部３２１とナット３５１を連結させることで固定軸３２０外装タンク２１０に固定できる。これにより、電動アシスト装置４００を容易に設置することができる。また、電動アシスト装置４００は、タンク装置２００の内部に設置されるため、電動アシスト装置４００を設置した場合と設置しない場合とにおける水洗トイレの外観の変化を抑えることができる。
【００５０】
また、作動軸３３０の入力部３３１及び出力伝達軸４３０の出力部４３１を設けることで、手動操作の際に電動アシスト装置４００を連動して駆動させる必要がない。そのため、手動操作の際に軽い力で便器洗浄を実行することができる。また、電動で便器洗浄動作を行う場合にも、正常に便器洗浄を実行することができる。
【００５１】
なお、一般的なタンク装置２００では、レバー部３１０を時計周り、または反時計周りに９０度回転させる必要がある。そのため、入力部３３１は、少なくとも形状の左右の先端部と作動軸３３０の中心とがなす中心角が１８０度以内である必要がある。
【００５２】
図９は、本実施形態にかかる排水弁駆動装置を表す模式図である。  
なお、図９（ａ）は、本実施形態にかかる排水弁駆動装置を上方から眺めたときの模式的平面図である。また、図９（ｂ）は、図９（ａ）に表した切断面Ａ−Ａにおける模式的断面図である。
【００５３】
本実施形態のタンク装置２００は、駆動伝達機構２６０を中立状態から時計周り（ＣＷ）に約９０度程度回転させることで「大洗浄」を実施し、中立状態から反時計周り（ＣＣＷ）に約９０度程度回転させることで「小洗浄」を実施する構造を有する。
【００５４】
駆動伝達機構２６０の回転角度が前述した角度よりも大きくなると、排水機構２５０が正しく駆動しない不具合や、駆動伝達機構２６０及び電動アシスト装置４００が破損する不具合などが発生する可能性がある。そこで、本実施形態の角度規制機構３７０は、排水弁駆動装置３００の回転範囲を時計周り、反時計周りともに９０度に規制する役割を担っている。角度規制機構３７０は、タンク装置２００の外部に設けられている。
【００５５】
角度規制機構３７０は、レバー部３１０のレバー固定部３１１に設けられた小洗浄固定当たり面３７１と、大洗浄固定当たり面３７１と、レバー部３１０の操作レバー３１２に設けられた小洗浄駆動当たり面３１２ａと、大洗浄駆動当たり面３１２ｂと、を有する。「大洗浄」のために、使用者が操作レバー３１２を時計周りに手動回転させた場合、または、電動アシスト装置４００によって作動軸３３０が時計周りに電動回転した場合、作動軸３３０が中立状態から９０度だけ回転すると、大洗浄駆動当たり面３１２ｂが大洗浄固定当たり面３７２と当接し、作動軸３３０及び操作レバー３１２の回転が停止する。
【００５６】
一方、「小洗浄」のために、使用者が操作レバー３１２を反時計周りに手動回転させた場合、または、電動アシスト装置４００によって作動軸３３０が反時計周りに電動回転した場合、作動軸３３０が中立状態から９０度だけ回転すると、小洗浄駆動当たり面３１２ａが小洗浄固定当たり面３７１と当接し、作動軸３３０及び操作レバー３１２の回転が停止する。
【００５７】
図１０は、本実施形態にかかる排水弁駆動装置を表す模式図である。  
なお、図１０（ａ）は、図３に表した矢印Ａ１の方向にみたときの模式的平面図である。また、図１０（ｂ）は、図１０（ａ）に表した切断面Ｂ−Ｂにおける模式的断面図である。
【００５８】
本実施形態のタンク装置２００は、排水機構２５０の弁体２５１を開くことで、タンク装置２００に貯留された洗浄水をタンク装置２００の外部に流出させ、洗浄動作を行う構造を有する。つまり、洗浄動作を行うためには、排水弁駆動装置３００の作動軸３３０を中立状態から時計周りもしくは反時計周りに回転させ、排水機構２５０の弁体２５１を開く必要がある。また、洗浄水の流動を停止するためには、作動軸３３０を中立状態に戻し排水機構２５０の弁体２５１を閉める必要がある。
【００５９】
図１０（ｂ）に表したように、本実施形態にかかる排水弁駆動装置３００のレバー部３１０は、定位置規制機構３８０を内部に有する。定位置規制機構３８０は、作動軸３３０を中立状態に付勢するリターンスプリング３８１を有する。
【００６０】
リターンスプリング３８１の一方の腕部は、レバー部３１０のレバー固定部３１１に係加させられ、リターンスプリング３８１の他方の腕部は、レバー部３１０の操作レバー３１２に係加させられる。使用者が操作レバー３１２を手動回転させると、または、電動アシスト装置４００が作動軸３３０を時計周りに電動回転させると、作動軸３３０は、中立状態から回転する。このとき、リターンスプリング３８１には、中立方向へ向かうバネの付勢力が働く。そのため、操作レバー３１２への使用者による手動力もしくは作動軸３３０への電動力の付与がなくなると、操作レバー３１２は、中立状態に複動する。それと連動して、作動軸３３０は、中立状態に複動する。
【００６１】
本実施形態によれば、排水弁駆動装置３００は、定位置規制機構３８０を有することで、便器洗浄を行う場合以外では、タンク装置２００から洗浄水が外部へ流出することを確実に防ぐことができる。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水弁駆動装置３００および電動アシスト装置４００などが備える各要素の形状、寸法、材質、配置などや作動軸３３０および出力伝達軸４３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１０ 水洗トイレ、  １００ 水洗便器、  ２００ タンク装置、  ２１０ 外装タンク、  ２１２ ハンドル挿通孔、  ２２０ 内装タンク、  ２２１ タンク本体、  ２３０ 蓋部、  ２３１ 蛇口、  ２３２ 手洗い鉢、  ２４０ 給水機構、  ２５０ 排水機構、  ２５１ 弁体、  ２５２ 筒体、  ２５５ 排水量調整弁、  ２６０ 駆動伝達機構、  ２６１ スピンドル機構、  ２６２ ユニバーサルジョイント、  ２６３ 第１の玉鎖、  ２６４ 第２の玉鎖、  ３００ 排水弁駆動装置、  ３１０ レバー部、  ３１１ レバー固定部、  ３１２ 操作レバー、  ３１２ａ 小洗浄駆動当たり面、  ３１２ｂ 大洗浄駆動当たり面、  ３２０ 固定軸、  ３２１ ねじ部、  ３３０ 作動軸、  ３３１ 入力部、  ３３２ 作動軸接続部、  ３４０ 取り付け部材、  ３４１ ダブルＤカット雄形状部、  ３４２ 角穴形状部、  ３５１ ナット、  ３６０ ワンタッチクリップ、  ３６１ 凸部、  ３７０ 角度規制機構、  ３７１ 小洗浄固定当たり面、  ３７２ 大洗浄固定当たり面、  ３８０ 定位置規制機構、  ３８１ リターンスプリング、  ４００ 電動アシスト装置、  ４３０ 出力伝達軸、  ４３１ 出力部、  ４３３ 穴部、  ４４１ ダブルＤカット雌形状部、  ４４２ 電動アシスト装置角穴形状部
【図１】
2013221244.tif 000003
【図２】
2013221244.tif 000004
【図３】
2013221244.tif 000005
【図４】
2013221244.tif 000006
【図５】
2013221244.tif 000007
【図６】
2013221244.tif 000008
【図７】
2013221244.tif 000009
【図８】
2013221244.tif 000010
【図９】
2013221244.tif 000011
【図１０】
2013221244.tif 000012